(57)【要約】【課題】ウエストベルト部周辺に皺等が生じるのを防止すると共に、浮きを処理するためのダーツをなくして、見栄えを向上させ、かつ、多様なデザインのニーズに対応させること。【解決手段】パワーネット５ａとポリウレタンラミネート生地５ｂを重ね合わせて接着し、かつ、上端及び下端が前中心ＦＣ及び後中心ｂＣから両脇（左脇ＬＳ、右脇ＲＳ）に向かって上昇する曲線形状となるように任意の形状に裁断してなる伸縮性ベルト芯５がウエストベルト部３に設けられており、伸縮性ベルト芯５が収縮した状態における伸縮性ベルト芯５の下端の曲線形状と身頃部２の上端が収縮した状態における身頃部２の上端の曲線形状とが一致している。【選択図】図１
2011080173.tif 000002
【特許請求の範囲】
【請求項１】
上端が前中心方向及び後中心方向から両脇方向に向かって上昇する曲線形状を有し、少なくとも上端からウエスト周りまでが伸縮性を有する生地からなる身頃部と、
上端が前中心方向及び後中心方向から両脇方向に向かって上昇する曲線形状を有し、伸縮性を有する生地からなるベルト布を縫い合わせて前記身頃部の上端に縫着した伸縮自在なウエストベルト部と、
前記ウエストベルト部に設けられ、複数の伸縮性を有する生地を重ね合わせて接着し、かつ、上端及び下端が前中心方向及び後中心方向から両脇方向に向かって上昇する曲線形状となるように任意の形状に裁断してなる伸縮性ベルト芯とを具備し、
前記伸縮性ベルト芯が収縮した状態における前記伸縮性ベルト芯の下端の曲線形状と前記身頃部の上端が収縮した状態における前記身頃部の上端の曲線形状とが一致していることを特徴とするウエスト周り伸縮自在衣料。
【請求項２】
更に、前記伸縮性ベルト芯が収縮した状態における前記伸縮性ベルト芯の上端の曲線形状と前記ウエストベルト部が収縮した状態における前記ウエストベルト部の上端の曲線形状とが一致していることを特徴とする請求項１に記載のウエスト周り伸縮自在衣料。
【請求項３】
前記伸縮性ベルト芯は、前記ベルト布の内部に設けられ、前記ベルト布の上端の周上付近及び下端の周上付近に伸縮性を有する糸によって縫付けられていることを特徴とする請求項１または請求項２に記載のウエスト周り伸縮自在衣料。
【請求項４】
前記伸縮性ベルト芯における複数の伸縮性を有する生地の接着には、伸縮性のある接着剤が使用されることを特徴とする請求項１乃至請求項３の何れか１つに記載のウエスト周り伸縮自在衣料。
【請求項５】
前記伸縮性ベルト芯の複数の伸縮性を有する生地は、伸縮力を異にする伸縮性を有する生地の組み合わせからなることを特徴とする請求項１乃至請求項４の何れか１つに記載のウエスト周り伸縮自在衣料。
【請求項６】
前記伸縮性ベルト芯は、弾力性を有することを特徴とする請求項１乃至請求項５の何れか１つに記載のウエスト周り伸縮自在衣料。
【請求項７】
前記伸縮性ベルト芯の複数の伸縮性を有する生地は、伸縮性が大きいパワーネット生地と当該パワーネット生地よりも伸縮性が小さいポリウレタンラミネート生地とからなることを特徴とする請求項５または請求項６に記載のウエスト周り伸縮自在衣料。
【請求項８】
前記ウエストベルト部に腰ゴムを設けたことを特徴とする請求項１乃至請求項７の何れか１つに記載のウエスト周り伸縮自在衣料。
【請求項９】
前記身頃部のヒップ周りから上部及び前記ウエストベルト部が、前記身頃部のヒップ周りの大きさ以上に伸長することを特徴とする請求項１乃至請求項８の何れか１つに記載のウエスト周り伸縮自在衣料。
【発明の詳細な説明】
【技術分野】
【０００１】
本発明は、ウエスト周りが伸縮自在な構造となっているズボン、スカート等の下半身に着けるボトムス、一部にウエスト周りを有するワンピース等の衣料に関するもので、特に、ウエストベルト部周辺に皺等が生じるのを防止すると共に、浮きを処理するためのダーツをなくして、見栄えを向上させることができ、かつ、多様なデザインのニーズに対応できるウエスト周り伸縮自在ボトムス等のウエスト周り伸縮自在衣料に関するものである。
【０００２】
ここで、「ボトムス（bottoms,ボトムズとも言うが、本明細書、特許請求の範囲、図面においてはボトムスに統一する。）」）」とは、上半身に着用する衣類であるトップス（tops）に対する用語で、紳士用ズボン（パンツ）または女性用ズボン（パンツ）のズボン（パンツ）類、更に詳しくは、スラックス、ブーツカット（フルレングス）パンツ、パンタロン、クロフト（六分丈〜八分丈）パンツ、クロップトパンツ、ハーフパンツ、キュロットパンツ、ショートパンツ、Ｇパン（ジーンズ）、綿パン、チノパン、トレーニングズボン、及び、スカート類、更に詳しくは、タイトスカート、フレアスカート、プリーツスカート、キュロットスカート等の下半身に着用する衣類を意味するものである。
【背景技術】
【０００３】
スポーツウェア等のボトムスには、着用時の脱落を防止したり運動時等の屈曲やウエストの周長の変化に対応したりするために、ウエストベルト部の全周に亘って平ゴム等の腰ゴムが設けられているものがある。例えば、本発明者の一人が、先に出願した腰ゴム入りボトムスも、腰ゴムのみでウエスト周りを締め付けて着用する構造となっている（特許文献１）。
【０００４】
ところで、特許文献１に係る発明の腰ゴム入りボトムスにおいては、ウエストベルト部の上端及び身頃部の上端が直線的なラインではなく、前中心及び後中心から両脇に向かってカーブするラインとなっており、ウエストベルト部及びその近傍のラインがウエスト周りにフィットする立体的な形状となっている。このため、特許文献１に係る発明の腰ゴム入りボトムスによれば、着用したときにより滑らかなシルエットを形成することができる。また、ウエストベルト部と身頃部の上端との間で角張ることがないため、ウエストベルト部と身頃部との繋がりが良いすっきりとした脇線のシルエットを得ることができる。
【先行技術文献】
【特許文献】
【０００５】
【特許文献１】特開２００９−７７２２号公報
【発明の概要】
【発明が解決しようとする課題】
【０００６】
ところが、このような腰ゴムのみでウエスト周りを締め付けて着用する構造のボトムスに使用される平ゴム等の腰ゴムは、通常、上端及び下端が直線的な形状となっているため、特許文献１のように上端及び下端が前中心及び後中心から両脇に向かって上昇する曲線形状となっているウエストベルト部に直線形状の平ゴム等の腰ゴムを仕込んだ場合、ウエストベルト部周辺に浮きが出る。
また、仮に、上端が前中心及び後中心から両脇に向かって上昇する曲線形状となっている身頃部及びウエストベルト部に合わせて、平ゴム等の腰ゴムを曲線形状に裁断したとしても、裁断口から解れが生じるため、使い物にならない。
【０００７】
このため、従来の平ゴム等の腰ゴムのみでウエスト周りを締め付けて着用するボトムスにおいて、ウエストベルト部及びその近傍のラインをウエスト周りにフィットする立体的な形状とする場合、ウエストベルト部周辺に皺、撚れ、突っ張り皺等が生じたり、浮きを処理するためのダーツを身頃部上部に設ける必要が生じたりして、見栄えが損なわれ、また、デザインが限定されるという問題点があった。
【０００８】
そこで、本発明は、かかる不具合を解決すべくなされたものであって、ウエストベルト部周辺に皺、撚れ、突っ張り皺等が生じるのを防止すると共に、浮きを処理するためのダーツをなくして、見栄えを向上させることができ、かつ、多様なデザインのニーズに対応できるウエスト周り伸縮自在ボトムス等のウエスト周り伸縮自在衣料の提供を課題とするものである。
【課題を解決するための手段】
【０００９】
請求項１の発明に係るウエスト周り伸縮自在衣料は、上端が前中心方向及び後中心方向から両脇方向に向かって上昇する曲線形状を有し、少なくとも上端からウエスト周りまでが伸縮性を有する生地からなる身頃部と、上端が前中心方向及び後中心方向から両脇方向に向かって上昇する曲線形状を有し、伸縮性を有する生地からなるベルト布を縫い合わせて前記身頃部の上端に縫着した伸縮自在なウエストベルト部と、前記ウエストベルト部に設けられ、複数の伸縮性を有する生地を重ね合わせて接着し、かつ、上端及び下端が前中心方向及び後中心方向から両脇方向に向かって上昇する曲線形状となるように任意の形状に裁断してなる伸縮性ベルト芯とを具備し、前記伸縮性ベルト芯が収縮した状態における前記伸縮性ベルト芯の下端の曲線形状と前記身頃部の上端が収縮した状態における前記身頃部の上端の曲線形状とが一致しているものである。
【００１０】
ここで、上記身頃部の「上端が前中心方向及び後中心方向から両脇方向に向かって上昇する曲線形状を有し」とは、前身頃部の上端が前中心方向から両脇方向に向かって上昇する曲線形状を有すると共に、後身頃部の上端が後中心方向から両脇方向に向かって上昇する曲線形状を有することを意味するものである。なお、前身頃部の上端の曲線形状、即ち、カーブラインと後身頃部の上端の曲線形状（カーブライン）は必ずしも一致している必要はなく、両者の曲線形状（カーブライン）は異なっていても構わない。
ところで、上記身頃部の「伸縮性を有する生地」には、通常、伸縮性を有するポリエステル生地、ニット生地、トリコット生地、ポリウレタンが１％から３０％混入されたポリウレタン混合生地、綿ストレッチ生地、ナイロン生地等が用いられる。なお、上記身頃部の少なくとも上端からウエスト周りまでは伸縮性を有する生地から構成される必要があるが、それより下の部分は同一の生地でも異なる生地でもよい。
【００１１】
また、上記ウエストベルト部の「上端が前中心方向及び後中心方向から両脇方向に向かって上昇する曲線形状を有し」とは、前身頃部の上端に縫着した前ウエストベルト部の上端が前中心方向から両脇方向に向かって上昇する曲線形状を有すると共に、後身頃部の上端に縫着した後ウエストベルト部が後中心方向から両脇方向に向かって上昇する曲線形状を有することを意味するものである。なお、前身頃部の上端に縫着した前ウエストベルト部の上端の曲線形状（カーブライン）と後身頃部の上端に縫着した後ウエストベルト部の上端の曲線形状（カーブライン）は必ずしも一致している必要はなく、両者の曲線形状（カーブライン）は異なっていても構わない。また、前身頃部の上端に縫着した前ウエストベルト部の曲線形状（カーブライン）は前身頃部の上端の曲線形状（カーブライン）と一致し、後身頃部の上端に縫着した後ウエストベルト部の曲線形状（カーブライン）は後身頃部の上端の曲線形状（カーブライン）と一致するのが一般的であるが、厳格に一致することを要求するものではなく、多少カーブ率が異なっていても支障はない。
ところで、上記ベルト布の「伸縮性を有する生地」にも、通常、伸縮性を有するポリエステル生地、ニット生地、トリコット生地、ポリウレタンが１％から３０％混入されたポリウレタン混合生地、綿ストレッチ生地、ナイロン生地等が用いられる。そして、上記ベルト布と前記身頃部とは、同種の生地で構成されてもよいし、異なる生地で構成されてもよい。
なお、前記身頃部の上端と上記ウエストベルト部の下端との接続部分がスムーズに伸縮するように、上記ウエストベルト部は、前記身頃部の上端に、レジロン（登録商標）糸、ウーリー糸、ユニロン（登録商標）糸、等の伸縮性を有する糸によって縫着したものであることが好ましい。
【００１２】
上記伸縮性ベルト芯は、複数の伸縮性を有する生地を重ね合わせて接着し、かつ、上端及び下端が前中心方向及び後中心方向から両脇方向に向かって上昇する曲線形状となるように任意の形状に裁断してなるもので、その伸縮性によってウエスト周りを締め付けるものであり、着用時の脱落を防止できる程度に締め付け力を有すると共に、適度な機械的強度を有するものであればよく、「伸縮性を有する生地」としては、例えば、パワーネット生地、ポリウレタンラミネート生地、サテンネット生地、スパンデックス生地、伸縮性を有するポリエステル生地、ニット生地、トリコット生地、ポリウレタンが１％から３０％混入されたポリウレタン混合生地、綿ストレッチ生地、等を採用することができる。特に、パワーネット生地は、大きな伸縮性を有し、入手も容易であるため、伸縮性を有する生地として適している。また、「複数の伸縮性を有する生地」は、１種類の生地で構成されていてもよいし、異なる種類の生地の組み合わせであっても構わない。
ところで、上記伸縮性ベルト芯の「上端が前中心方向及び後中心方向から両脇方向に向かって上昇する曲線形状となるように任意の形状に裁断」とは、前身頃部の上端、即ち前ウエストベルト部に設けられる前伸縮性ベルト芯が、前身頃部の上端及び前ウエストベルト部の上端の曲線形状に対応して、上端及び下端が前中心方向から両脇方向に向かって上昇する曲線形状となるように任意の形状に裁断されると共に、後身頃部及の上端、即ち、後ウエストベルト部に設けられる後伸縮性ベルト芯が、後身頃部の上端及び後ウエストベルト部の上端の曲線形状に対応して、上端及び下端が後中心方向から両脇方向に向かって上昇する曲線形状となるように裁断されることを意味するものである。ここで、前身頃部の上端に設けられる前伸縮性ベルト芯の上端及び下端の曲線形状（カーブライン）と後身頃部の上端に設けられる後伸縮性ベルト芯の上端及び下端の曲線形状（カーブライン）は必ずしも一致している必要はなく、両者の曲線形状（カーブライン）は異なっていても構わない。なお、前身頃部の上端に設けられる前伸縮性ベルト芯の上端の曲線形状（カーブライン）は前身頃部の上端の曲線形状（カーブライン）と略一致し、後身頃部の上端に設けられる後伸縮性ベルト芯の上端の曲線形状（カーブライン）は後身頃部の上端の曲線形状（カーブライン）と略一致するのが一般的であるが、厳格に一致することを要求するものではなく、多少カーブ率が異なっていても支障はない。
【００１３】
そして、「前記伸縮性ベルト芯が収縮した状態における前記伸縮性ベルト芯の下端の曲線形状と前記身頃部の上端が収縮した状態における前記身頃部の上端の曲線形状とが一致」とは、前記ウエストベルト部周辺の浮きが防止されるように、前記伸縮性ベルト芯が収縮した状態における前記伸縮性ベルト芯の下端の曲線形状（カーブライン）を前記身頃部の上端が収縮した状態における前記身頃部の上端の曲線形状（カーブライン）に対応させるものであり、本発明においては、前記身頃部の上端及び前記伸縮性ベルト芯が収縮した状態における両者の曲線形状（カーブライン）の一致は厳格に要求されるものではなく、前記ウエストベルト部周辺に浮きが出て外観に皺等になってあらわれたりダーツを設ける必要が生じたりすることがなければ、多少の誤差があっても構わない。即ち、本発明において、両者の曲線形状（カーブライン）は、略一致していればよい。
【００１４】
請求項２の発明に係るウエスト周り伸縮自在衣料は、更に、前記伸縮性ベルト芯が収縮した状態における前記伸縮性ベルト芯の上端の曲線形状と前記ウエストベルト部が収縮した状態における前記ウエストベルト部の上端の曲線形状とが一致しているものである。
【００１５】
ここで、「前記伸縮性ベルト芯が収縮した状態における前記伸縮性ベルト芯の上端の曲線形状と前記ウエストベルト部が収縮した状態における前記ウエストベルト部の上端の曲線形状とが一致」とは、前記ウエストベルト部周辺の浮きが確実に防止されるように、前記伸縮性ベルト芯が収縮した状態における前記伸縮性ベルト芯の上端の曲線形状（カーブライン）を前記ウエストベルト部が収縮した状態における前記ウエストベルト部の上端の曲線形状（カーブライン）に対応させるものであり、本発明においては、前記伸縮性ベルト芯及び前記ウエストベルト部が収縮した状態における両者の曲線形状（カーブライン）の一致は厳格に要求されるものではなく、前記ウエストベルト部周辺に浮きが出て外観に皺等になってあらわれたりダーツを設ける必要が生じたりすることがなければ、多少の誤差があっても構わない。即ち、本発明において、両者の曲線形状（カーブライン）は、略一致していればよい。
【００１６】
請求項３の発明に係るウエスト周り伸縮自在衣料において、前記伸縮性ベルト芯は、前記ベルト布の内部に設けられ、前記ベルト布の上端の周上付近及び下端の周上付近に伸縮性を有する糸によって縫付けられているものである。
ここで、上記伸縮性を有する糸には、通常、レジロン（登録商標）糸、ウーリー糸、ユニロン（登録商標）糸、等が使用される。
【００１７】
請求項４の発明に係るウエスト周り伸縮自在衣料において、前記伸縮性ベルト芯における複数の伸縮性を有する生地の接着には、伸縮性のある接着剤が使用されるものである。
ここで、上記伸縮性のある接着剤としては、例えば、ポリウレタン系の接着樹脂等が挙げられる。なお、本発明を実施する場合には、安定した接着が維持できれば、その接着方法は特に問われるものではない。
【００１８】
請求項５の発明に係るウエスト周り伸縮自在衣料において、前記伸縮性ベルト芯の複数の伸縮性を有する生地は、伸縮力を異にする伸縮性を有する生地の組み合わせからなるものであり、十分な伸縮力を確保しつつも、伸縮性が小さい方の生地によって伸縮性が大きい方の生地の過度な伸長を抑制可能とするものである。なお、伸縮性が小さい方の生地は、過度の伸長で無理が掛かかってもすぐに劣化しない程度の機械的強度を有するものが好ましい。
【００１９】
請求項６の発明に係るウエスト周り伸縮自在衣料において、前記伸縮性ベルト芯は、弾力性を有するものである。
ところで、上記弾力性とは、本発明においては、伸びたり縮んだりする性質を意味する上記伸縮性とは異なる概念のものであり、外力を加えられ変形したものが外力に抗して元の形に戻ろうとする力の性質を意味するものである。
【００２０】
請求項７の発明に係るウエスト周り伸縮自在衣料において、前記伸縮性ベルト芯の複数の伸縮性を有する生地は、伸縮性が大きいパワーネット生地と、当該パワーネット生地よりも伸縮性が小さいポリウレタンラミネート生地とからなるものであり、伸縮性が大きいパワーネット生地の過度な伸長を、パワーネット生地より伸縮性が小さいポリウレタンラミネート生地によって抑制することで、前記伸縮性ベルト芯の過度の伸長を抑制するものである。更には、弾力性を有するものである。
ところで、上記パワーネット生地は、通常、ナイロン素材とポリウレタン素材から構成されるものであるが、本発明を実施する場合には、着用時の脱落を防止できる程度に伸縮性を有すれば、ナイロン素材とポリウレタン素材の混率は特に問われるものではない。
なお、ポリウレタンラミネート生地は、一般的に、ナイロンやポリエステル等の生地にポリウレタンの薄膜フィルムをラミネート（コーティング）してなるものであるが、本発明を実施する場合には、ポリウレタンの薄膜フィルムの伸縮性を妨げることがないように、伸縮性を有するポリエステル生地にポリウレタンの薄膜フィルムをラミネート（コーティング）するのが好ましい。
【００２１】
請求項８の発明に係るウエスト周り伸縮自在衣料は、前記ウエストベルト部に腰ゴムを設けたものであり、上記腰ゴムには、通常、コールゴムや織ゴムなどの平ゴムが使用される。なお、上記腰ゴムは、前記ウエストベルト部を前記身頃部の縫着した際に前記ウエストベルトベルト部周辺にほとんど浮きが生じない範囲で、前記ウエストベルト部に設けられるのが望ましい。
【００２２】
請求項９の発明に係るウエスト周り伸縮自在衣料は、前記身頃部のヒップ周りから上部及び前記ウエストベルト部が、前記身頃部のヒップ周りの大きさ以上に伸長するものであり、前記ウエストベルト部及び前記ウエストベルト部の近傍の身頃部を引き伸ばして着用できるようにしたものである。
【発明の効果】
【００２３】
請求項１の発明のウエスト周り伸縮自在衣料は、上端が前中心方向及び後中心方向から両脇方向に向かって上昇する曲線形状を有し、少なくとも上端からウエスト周りまでが伸縮性を有する生地からなる身頃部と、上端が前中心方向及び後中心方向から両脇方向に向かって上昇する曲線形状を有し、伸縮性を有する生地からなるベルト布を縫い合わせて前記身頃部の上端に縫着した伸縮自在なウエストベルト部と、前記ウエストベルト部に設けられ、複数の伸縮性を有する生地を重ね合わせて接着し、かつ、上端及び下端が前中心方向及び後中心方向から両脇方向に向かって上昇する曲線形状となるように任意の曲線形状に裁断してなる伸縮性ベルト芯とを具備し、前記伸縮性ベルト芯が収縮した状態における前記伸縮性ベルト芯の下端の曲線形状と前記身頃部の上端が収縮した状態における前記身頃部の上端の曲線形状とが一致しているものである。
【００２４】
即ち、請求項１の発明のウエスト周り伸縮自在衣料は、伸縮性を有する伸縮性ベルト芯によって、ウエスト周りを締め付けて着用する構造となっており、ウエストベルト部及びその近傍のラインがウエスト周りにフィットする立体的な形状を形成して着用したときに滑らかなシルエットとなるように、身頃部の上端とウエストベルト部の上端が前中心方向及び後中心方向から両脇方向に向かって上昇する曲線形状を有している。
【００２５】
そして、ウエストベルト部に設けられ、着用時の脱落を防止する機能をも有する伸縮性ベルト芯の上端及び下端も、前中心方向及び後中心方向から両脇方向に向かって上昇する曲線形状となっており、更に、伸縮性ベルト芯が収縮した状態における伸縮性ベルト芯の下端の曲線形状（カーブライン）と身頃部の上端が収縮した状態における身頃部の上端の曲線形状（カーブライン）とが一致している。即ち、身頃部の上端及びウエストベルト部の上端のカーブするラインに合わせて、ウエストベルト部に設けられる伸縮性ベルト芯の上端及び下端もカーブするラインとなっている。
【００２６】
したがって、請求項１の発明のウエスト周り伸縮自在衣料によれば、ウエストベルト部周辺に浮きが出るのを防止することができる。そして、これによって、ウエストベルト部周辺に皺、撚れ、突っ張り皺等が生じるのが防止され、浮きを処理するためのダーツを設ける必要もなくなる。
故に、見栄えを向上させることができ、多様なデザインのニーズに対応することができるようになる。
更に、皺、撚れ、突っ張り皺、ダーツ等によるごろつき感が軽減され、ウエスト周りによりフィットするため、着用感を向上させることができる。
【００２７】
また、従来の平ゴム等の腰ゴムでは、平ゴム等の上端及び下端が直線的な形状であるため、前ウエストベルト部の上端と後ウエストベルト上端の差を大きくするのに限界があったが、請求項１の発明に係る伸縮性ベルト芯は、上端及び下端が前中心方向及び後中心方向から両脇方向に向かって上昇する曲線形状となるように任意の形状に裁断してなるものであるから、前ウエストベルト部の上端と後ウエストベルト上端の差を大きく設定することが可能となる。したがって、請求項１の発明のウエスト周り伸縮自在衣料によれば、ボトムスにおいて着用してしゃがみ込んだり座ったりした際に背中が露出してしまうという事態が防止されることを期待でき、股上の浅いローウエストのデザインにも対応可能となる。
更に、従来の平ゴム等の腰ゴムは、裁断によって解れが生じるためバイアスカットが困難であり、また、上端及び下端が直線的な形状の腰ゴムを両端で重ねて縫い合わせると重ね合わせた部分で厚みがでるため、ウエストベルト部の上端と下端の周長の差を大きくするのに限界があったが、請求項１の発明に係る伸縮性ベルト芯によれば、ウエストベルト部の上端と下端の周長の差を大きく設定することが可能となる。したがって、請求項１の発明のウエスト周り伸縮自在衣料によれば、よりウエストラインに沿ったシルエットが形成されることを期待できる。
【００２８】
このようにして、ウエストベルト部周辺に皺、撚れ、突っ張り皺等が生じるのを防止すると共に、浮きを処理するためのダーツをなくして、見栄えを向上させることができ、かつ、多様なデザインのニーズに対応できるウエスト周り伸縮自在衣料となる。
【００２９】
請求項２の発明のウエスト周り伸縮自在衣料は、更に、前記伸縮性ベルト芯が収縮した状態における前記伸縮性ベルト芯の上端の曲線形状（カーブライン）と前記ウエストベルト部が収縮した状態における前記ウエストベルト部の上端の曲線形状（カーブライン）とが一致しているものであるから、ウエストベルト部周辺に浮きが出るのが確実に防止される。したがって、請求項１に記載の効果に加えて、ウエストベルト部周辺に皺、撚れ、突っ張り皺等が生じるのが確実に防止されるため、更に見栄えを向上させることができ、また、浮きを処理するためのダーツを設ける必要もないため、多様なデザインのニーズにも対応できるようになる。
更に、皺、撚れ、突っ張り皺、ダーツ等によるごろつき感も確実に防止され、ウエスト周りに一層フィットするため、着用感を更に向上させることができる。
このようにして、ウエストベルト部周辺に皺、撚れ、突っ張り皺等が生じるのを確実に防止すると共に、浮きを処理するためのダーツをなくして、見栄えを向上させることができ、かつ、多様なデザインのニーズに対応できるウエスト周り伸縮自在衣料となる。
【００３０】
請求項３の発明のウエスト周り伸縮自在衣料によれば、前記伸縮性ベルト芯は、前記ベルト布の内部に設けられ、前記ベルト布の上端の周上付近及び下端の周上付近に伸縮性を有する糸によって縫付けられているため、請求項１または請求項２に記載の効果に加えて、前記伸縮性ベルト芯が前記ベルト布の内部で捩じれたりする事態を防止することができ、更には、前記伸縮性ベルト芯の捩じれによって着用感が損なわれたりする事態を防止することができる。また、前記伸縮性ベルト芯を縫付ける糸は伸縮性を有するため、前記伸縮性ベルト芯のスムーズな伸縮が妨げられることはない。
【００３１】
請求項４の発明のウエスト周り伸縮自在衣料によれば、前記伸縮性ベルト芯における複数の伸縮性を有する生地の接着には、伸縮性のある接着剤が使用されるため、請求項１乃至請求項３の何れか１つに記載の効果に加えて、前記伸縮性ベルト芯のスムーズな伸縮が妨げられることはない。また、伸長時に前記伸縮性ベルト芯の伸縮性を有する生地同士が剥離する事態を防止することができる。
【００３２】
請求項５の発明のウエスト周り伸縮自在衣料によれば、前記伸縮性ベルト芯の複数の伸縮性を有する生地は、伸縮力を異にする伸縮性を有する生地の組み合わせからなるものであるため、伸縮性の小さい方の生地によって伸縮性の大きい方の生地の過度の伸長を抑制することが可能となる。したがって、請求項１乃至請求項４の何れか１つに記載の効果に加えて、着脱時等における前記伸縮性ベルト芯の過度の伸長によって前記ベルト布に無理が掛かるのを防止することが可能になり、前記ベルト布を長持ちさせることができる。
【００３３】
請求項６の発明のウエスト周り伸縮自在衣料によれば、前記伸縮性ベルト芯は、弾力性を有するため、請求項１乃至請求項５の何れか１つに記載の効果に加えて、ウエスト周りにフィットとしている感覚や、締め付け感を与えることができる。
【００３４】
請求項７の発明のウエスト周り伸縮自在衣料によれば、前記伸縮性ベルト芯の複数の伸縮性を有する生地は、伸縮性が大きいパワーネット生地と、当該パワーネット生地よりも伸縮性が小さいポリウレタンラミネート生地とからなるものであり、パワーネット生地より伸縮性の小さいポリウレタンラミネート生地によって、伸縮性の大きいパワーネット生地の過度な伸長を抑制することで、前記伸縮性ベルト芯の過度の伸長を抑制するものである。
ここで、ポリウレタンラミネート生地は、伸長時の機械的強度も大きいため、パワーネット生地の過度な伸長を抑制するために無理が掛かっても脆くなりにくい。したがって、請求項５または請求項６に記載の効果に加えて、前記伸縮性ベルト芯を長持ちさせることができる。
また、パワーネット生地及びポリウレタンラミネート生地からなる前記伸縮性ベルト芯は、平ゴム等の腰ゴムと比較して厚みが薄いため、前記ウエストベルト部と前記身頃部との段差を小さくすることができる。したがって、ごろつき感を軽減して着用感を一段と向上させることができ、また、ウエスト周りの見栄えを非常にすっきりとしたものにすることができる。
【００３５】
請求項８の発明のウエスト周り伸縮自在衣料は、前記ウエストベルト部に腰ゴムを設けたものである。ここで、平ゴム等の腰ゴムは、一般的に、大きい伸縮性及び弾力性を有するものである。したがって、請求項８の発明のウエスト周り伸縮自在衣料によれば、請求項１乃至請求項７の何れか１つに記載の効果に加えて、ウエスト周りへのフィット性や、フィット感が更に向上することを期待できる。
【００３６】
請求項９の発明のウエスト周り伸縮自在衣料によれば、前記身頃部のヒップ周りから上部及び前記ウエストベルト部が、前記身頃部のヒップ周りの大きさ以上に伸長するため、前記ウエストベルト部及び前記ウエストベルト部の近傍の身頃部を引き伸ばして着用することができる。したがって、請求項１乃至請求項８の何れか１つに記載の効果に加えて、極めて容易に着脱することができる。
【図面の簡単な説明】
【００３７】
【図１】図１（ａ）は本発明の実施の形態１に係るウエスト周り伸縮自在衣料としてのウエスト周り伸縮自在ボトムスの正面図である。図１（ｂ）は本発明の実施の形態１に係るウエスト周り伸縮自在衣料としてのウエスト周り伸縮自在ボトムスの背面図である。図１（ｃ）は本発明の実施の形態１に係るウエスト周り伸縮自在衣料としてのウエスト周り伸縮自在ボトムスの左側面図である。
【図２】図２（ａ）は本発明の実施の形態１に係るウエスト周り伸縮自在ボトムス衣料としてのウエスト周り伸縮自在ボトムスの正面側のウエスト部の構成を説明するための分解図である。図２（ｂ）は本発明の実施の形態１に係るウエスト周り伸縮自在衣料としてのウエスト周り伸縮自在ボトムスの背面側のウエスト部の構成を説明するための分解図である。
【図３】図３は本発明の実施の形態１に係るウエスト周り伸縮自在衣料としてのウエスト周り伸縮自在ボトムスのウエスト部の構造を説明するための背面側のウエスト部及びその近傍の部分拡大図である。
【図４】図４（ａ）は本発明の実施の形態２に係るウエスト周り伸縮自在衣料としてのウエスト周り伸縮自在ボトムスの正面図である。図４（ｂ）は本発明の実施の形態２に係るウエスト周り伸縮自在衣料としてのウエスト周り伸縮自在ボトムスの背面図である。図４（ｃ）は本発明の実施の形態２に係るウエスト周り伸縮自在衣料としてのウエスト周り伸縮自在ボトムスの左側面図である。
【発明を実施するための形態】
【００３８】
以下、本発明の実施の形態について、図面を参照しながら説明する。
なお、各実施の形態において、同一の記号及び同一の符号は同一または相当する機能部分を意味し、各実施の形態相互の同一の記号及び同一の符号は、それら実施の形態に共通する機能部分であるから、ここでは重複する詳細な説明を省略する。
【００３９】
［実施の形態１］
まず、本発明の実施の形態１に係るウエスト周り伸縮自在衣料としてのウエスト周り伸縮自在ボトムスについて、図１乃至図３を参照して説明する。
【００４０】
図１に示すように、本実施の形態１に係るウエスト周り伸縮自在衣料としてのウエスト周り伸縮自在ボトムス１は、上端が前中心ＦＣ及び後中心ＢＣから両脇（左脇ＬＳ、右脇ＲＳ）に向かって上昇する曲線形状を有する身頃部２（前身頃部２Ａ、後身頃部２Ｂ）と、身頃部２（前身頃部２Ａ、後身頃部２Ｂ）に縫着され、上端が前中心ＦＣ及び後中心ＢＣから両脇（左脇ＬＳ、右脇ＲＳ）に向かって上昇する曲線形状を有するウエストベルト部３（前ウエストベルト部３Ａ、後ウエストベルト部３Ｂ）とを有しており、ウエストベルト部３（前ウエストベルト部３Ａ、後ウエストベルト部３Ｂ）には、その全周に亘って伸縮性ベルト芯５（前伸縮性ベルト芯５Ａ、後伸縮性ベルト芯５Ｂ）が仕込まれている。
【００４１】
具体的には、本実施の形態１の身頃部２は、前身頃部２Ａと後身頃部２Ｂとから構成されており、この前身頃部Ａと後身頃部２Ｂは、両脇（左脇線ＬＳ、右脇線ＲＳ）にて縫い合わせられている。
そして、上述の如く、前身頃部２Ａの上端の形状は、前中心ＦＣから両脇（左脇ＬＳ、右脇ＲＳ）に向かって上昇する曲線形状となっている。また、同様に、後身頃部２Ｂの上端の形状も、後中心ＢＣから両脇（左脇線ＬＳ、右脇線ＲＳ）に向かって上昇する曲線形状となっている。そして、本実施の形態１においては、特に、着用者がしゃがみ込んだり座ったりした際、背面側でトップスとの間に隙間ができて背中が露出してしまうのを防止するため、図１及び図２に示すように、後身頃部２Ｂの上端の曲線形状（カーブライン）は、前身頃部２Ａの曲線形状（カーブライン）より緩やかに形成されている。
なお、本実施の形態１の身頃部２（前身頃部２Ａ、後身頃部２Ｂ）は、伸縮性を有する生地としての伸縮性ポリエステル生地で構成されている。しかし、本発明を実施する場合には、伸縮性を有する生地は上記伸縮性ポリエステル生地に限定されるものではなく、例えば、ニット生地、トリコット生地、ポリウレタンが１％から３０％混入されたポリウレタン混合生地、綿ストレッチ生地、ナイロン生地、等の伸縮性を有する生地を使用することも可能である。
【００４２】
また、本実施の形態１のウエストベルト部３は、前身頃部２Ａの上端に位置する前ベルト部３Ａ及び後身頃部３Ｂの上端に位置する後ベルト部３Ｂからなるものである。
更に、前ベルト部３Ａは、図２（ａ）に示すように、ベルト部表側４Ａａ及びベルト部見返し側４Ａｂの２枚からなる前ベルト布４Ａと、ベルト部表側４Ａａ及びベルト部見返し側４Ａｂの間に仕込まれる前伸縮性ベルト芯５Ａとから構成されており、後ベルト部３Ｂは、図２（ｂ）に示すように、ベルト部表側４Ｂａ及びベルト部見返し側４Ｂｂの２枚からなる後ベルト布４Ｂと、ベルト部表側４Ｂａ及びベルト部見返し側４Ｂｂの間に仕込まれる後伸縮性ベルト芯５Ｂとから構成されている。
なお、図２（ａ）に示すように、前ベルト布４Ａ（ベルト部表側４Ａａ及びベルト部見返し側４Ａｂ）は、上端が前身頃部２Ａの上端の曲線形状（カーブライン）と同一の曲線形状（カーブライン）になっており、上端の曲線長さが前身頃部２Ａの上端の曲線長さよりも短くなっている。また、図２（ｂ）に示すように、後ベルト布４Ｂ（ベルト部表側４Ｂａ及びベルト部見返し側４Ｂｂ）も、上端が後身頃部２Ｂの上端の曲線形状（カーブライン）と同一の曲線形状（カーブライン）になっており、上端の曲線長さが後身頃部２Ｂの上端の曲線長さよりも短くなっている。
また、本実施の形態１のベルト布４（前ベルト布４Ａ、後ベルト布４Ｂ）も、伸縮性を有する生地としての伸縮性ポリエステル生地で構成されている。しかし、本発明を実施する場合には、伸縮性を有する生地は上記伸縮性ポリエステル生地に限定されるものではなく、例えば、ニット生地、トリコット生地、ポリウレタンが１％から３０％混入されたポリウレタン混合生地、綿ストレッチ生地、ナイロン生地、等の伸縮性を有する生地を使用することも可能である。
【００４３】
そして、図２（ａ）に示すように、前ベルト布４Ａの内部に仕込まれる前伸縮性ベルト芯５Ａは、伸縮性を有する生地としての、パワーネット生地５ａと、ポリエステル１００％ニット生地５ｂ’の片面にポリウレタン薄膜フィルム５ｂ”をラミネート（コーティング）加工してなるポリウレタンラミネート生地５ｂとを重ね合わせて接着し、かつ、前身頃部２Ａの上端の曲線形状に対応して上端及び下端が前中心ＦＣから両脇（左脇ＬＳ、右脇ＲＳ）に向かって上昇する曲線形状となるよう任意の形状に裁断してなるものである。また、図２（ｂ）に示すように、後ベルト布４Ｂの内部に仕込まれる後伸縮性ベルト芯５Ｂも、伸縮性を有する生地としての、パワーネット生地５ａと、ポリエステル１００％ニット生地５ｂ’の片面にポリウレタンの薄膜フィルム５ｂ”をラミネート（コーティング）加工してなるポリウレタンラミネート生地５ｂとを重ね合わせて接着し、かつ、後身頃部２Ｂの曲線形状に対応して上端及び下端が後中心ＢＣから両脇（左脇ＬＳ、右脇ＲＳ）に向かって上昇する曲線形状となるように任意の形状に裁断してなるものである。
即ち、前伸縮性ベルト芯５Ａは、図２（ａ）に示すように、その上端及び下端が前身頃部２Ａの上端の曲線形状（カーブライン）と同じ曲線形状（カーブライン）になるように裁断がなされおり、後伸縮性ベルト芯５Ｂは、図２（ｂ）に示すように、その上端及び下端が後身頃部２Ｂの上端の曲線形状（カーブライン）と同じ曲線形状（カーブライン）になるように裁断がなされている。また、図１に示すように、伸縮性ベルト芯５（前伸縮性ベルト芯５Ａ、後伸縮性ベルト芯５Ｂ）の上端の周長は、その下端の周長よりも短くなっている。
【００４４】
ここで、本実施の形態１の伸縮性ベルト芯５は、図２に示すように、パワーネット生地５ａの過度な伸長を抑制するために、伸縮性が大きいパワーネット生地５ａの片面側に、パワーネット生地５ａより伸縮性が小さいポリウレタンの薄膜フィルム５ｂ”が接着されている。
このため、本実施の形態１のウエスト周り伸縮自在衣料１によれば、着脱時等における伸縮性ベルト芯５の過度の伸長でベルト布４及び身頃部２の上端に無理が掛かり、ベルト布４及び身頃部２の上端の生地が傷むことが防止される。
【００４５】
ところで、パワーネット生地５ａの過度の伸長を抑制するために、ポリウレタン薄膜フィルム５ｂ”のみをパワーネット生地５ａに接着することも考えられるが、洗濯やクリーニング等によるポリウレタン薄膜フィルム５ｂ”の劣化を防止したり、伸長時における十分な機械的強度を確保したりするためには、ポリウレタン薄膜フィルム５ｂ”とポリエステル１００％ニット生地５ｂ’とからなるものを使用するのが好ましい。
更には、裁断による剥離を確実に防止するために、ポリエステル１００％ニット生地５ｂ’の片面にポリウレタン薄膜フィルム５ｂ”をラミネート（コーティング）加工したポリウレタンラミネート生地５ｂを使用するのが最適である。なお、本実施の形態１において、ポリエステル１００％ニット生地５ｂ’とポリウレタン薄膜フィルム５ｂ”との接着には、伸縮性を有するポリウレタン系の接着剤が使用されている。
このように、本実施の形態１のウエスト周り伸縮自在ボトムス１によれば、過度の伸長で無理が掛かっても脆くなりにくい機械的強度を有するポリウレタンラミネート生地５ｂによって、パワーネット生地５ａの過度な伸長を抑制しているため、伸縮性ベルト芯５が長持ちする。
【００４６】
また、本実施の形態１において、パワーネット生地５ａとポリウレタンラミネート生地５ｂは、伸縮性を有する接着剤としてのポリウレタン樹脂によって熱接着されている。具体的には、図２及び図３に示すように、洗濯やクリーニング等によってポリウレタンの薄膜フィルム５ｂ”が劣化しないようポリウレタンラミネート生地５ｂのポリウレタン薄膜フィルム５ｂ”側に、パワーネット生地５ａの片面側が熱接着されている。なお、本実施の形態１において、両者は、例えば、接着温度１１５℃〜１４０℃、接着圧力２５０ＫＰａ、接着時間１０秒の条件下で接着することができる。また、本実施の形態１のパワーネット生地５ａには、例えば、ナイロン素材６５％〜８０％とポリウレタン素材３５％〜２０％のものを使用することができる。更に、本実施の形態１においては、図３に示すように、パワーネット生地５ａ側をウエスト側（ベルト部見返し側４Ａｂ、４Ｂｂ）に配設しているが、勿論、ポリウレタンラミネート生地５ｂ側をウエスト側（ベルト部見返し側４Ａｂ、４Ｂｂ）に配置することもできる。なお、本実施の形態１は、上述のように、ポリウレタン樹脂を使用した加熱圧着によってパワーネット生地５ａとポリウレタンラミネート生地５ｂを接着しているため、安定した接着状態を維持できる。
【００４７】
ところで、本実施の形態１においては、このようにパワーネット生地５ａとポリウレタンラミネート生地５ｂとが互いに強固に接着されているため、また、パワーネット生地５ａはナイロンにポリウレタン弾性繊維を経編みのラッセル編みにて交編されてなるため、その裁断口から解れが生じる恐れはない。
なお、このようにして構成される本実施の形態１の伸縮性ベルト芯５は、弾力性を有し、伸長率が３０％前後で、厚みが０．９ｍｍ前後となっている。また、特に、伸縮性ベルト芯５のパワーネット生地５ａは、伸長した後のキックバック性（弾性回復性）にも優れている。このため、本実施の形態１のウエスト周り伸縮自在ボトムス１によれば、ゴルフウェア等のスポーツウェアとして使用する場合にも、ウエスト周りに常にフィットしている感覚や適度な締め付け感を与えることができ、運動時などの緊張時にもボトム脱落の不安感を与える恐れはない。
【００４８】
そして、本実施の形態１において、伸縮性ベルト芯５（前伸縮性ベルト芯５Ａ、後伸縮性ベルト芯５Ｂ）は、ベルト部表側４Ａａ、４Ｂａとベルト部見返し側４Ａｂ、４Ｂｂとの間に仕込まれ、その上端にて、ベルト部表側４Ａａ、４Ｂａの上端及びベルト部見返し側４Ａｂ、４Ｂｂの上端の全周に亘って縫い合わされ、その下端にて、ベルト部表側４Ａａ、４Ｂａの下端、ベルト部見返し側４Ａｂ、４Ｂｂの下端及び身頃部２（前身頃部２Ａ、後身頃部２Ｂ）の上端の全周に亘って縫い合わされている（図３参照）。
具体的には、伸縮性ベルト芯５（前伸縮性ベルト芯５Ａ、後伸縮性ベルト芯５Ｂ）はその上端にて、ベルト部表側４Ａａ、４Ｂａの上端とベルト部見返し側４Ａｂ、４Ｂｂの上端の縫代を折り返した部分に挟まれた状態でウーリー糸、レジロン（登録商標）等の伸縮性を有する糸によって縫い合わされており、また、その下端にて、ベルト部表側４Ａａ、４Ｂａの下端とベルト部見返し側４Ａｂ、４Ｂｂの下端の縫代を折り返した部分に挟まれた状態でウーリー糸、レジロン（登録商標）等の伸縮性を有する糸によって縫い合わされている。即ち、伸縮性ベルト芯５はベルト布４の上端及び下端の周上付近（通常、上端及び下端から１ｍｍ〜５ｍｍの範囲内）に縫付けられている。
なお、前ベルト布４Ａと後ベルト布４Ｂは、両脇（左脇ＬＳ、右脇ＲＳ）においてウーリー糸、レジロン（登録商標）等の伸縮性を有する糸によって縫い合わせられ、前伸縮性ベルト芯５Ａと後伸縮性ベルト芯５Ｂも、両脇（左脇ＬＳ、右脇ＲＳ）においてウーリー糸、レジロン（登録商標）等の伸縮性を有する糸によって縫い合わせられている。
【００４９】
このように、本実施の形態１のウエスト周り伸縮自在ボトムス１は、伸縮性を有する伸縮性ベルト芯５によってウエスト周りを締め付けて着用時の脱落を防止する構造となっており、身頃部２（前身頃部２Ａ、後身頃部２Ｂ）の上端とウエストベルト部３（前ウエストベルト部３Ａ、後ウエストベルト部３Ｂ）の上端が、前中心ＦＣ及び後中心ＢＣから両脇に向かって上昇する曲線形状となっている。
したがって、本実施の形態１のウエスト周り伸縮自在ボトムス１は、図１（ａ）及び図１（ｂ）に示すように、両脇（左脇ＬＳ、右脇ＲＳ）において、身頃部２の上端とウエストベルト部３の下端との接続部分が角張らず滑らかに繋がったラインとなっており、すっきりとした脇線のシルエットが形成されている。また、図１（ｃ）に示すように、前ウエストベルト部３Ａと後ウエストベルト部３Ｂとの接続部分が角になっておらず、滑らかに繋がったラインが形成されている。
即ち、本実施の形態１のウエスト周り伸縮自在ボトムス１は、ウエスト周りにフィットする立体的な形状となっており、着用した時に滑らかなシルエットが形成されるようになっている。
【００５０】
そして、本実施の形態１においては、図１（ａ）に示すように、前伸縮性ベルト芯５Ａが収縮した状態における前伸縮性ベルト芯５Ａの下端の曲線形状（カーブライン）と、前身頃部２Ａの上端が収縮した状態における前身頃部２Ａの上端の曲線形状（カーブライン）とが一致しており、図１（ｂ）に示すように、後伸縮性ベルト芯５Ｂが収縮した状態における後伸縮性ベルト芯５Ｂの下端の曲線形状（カーブライン）と、後身頃部２Ｂの上端が収縮した状態における後身頃部２Ｂの上端の曲線形状（カーブライン）とが一致している。
また、図１（ａ）に示すように、前伸縮性ベルト芯５Ａが収縮した状態における前伸縮性ベルト芯５Ａの上端の曲線形状（カーブライン）と、前ウエストベルト部３Ａが収縮した状態における前ウエストベルト部３Ａの上端の曲線形状（カーブライン）とが一致しており、図１（ｂ）に示すように、後伸縮性ベルト芯５Ｂが収縮した状態における後伸縮性ベルト芯５Ｂの上端の曲線形状（カーブライン）と、後ウエストベルト部３Ｂが収縮した状態における後ウエストベルト部３Ｂの上端の曲線形状（カーブライン）とが一致している。
なお、本実施の形態１においては、ウエストベルト部３及び身頃部２のヒップ周りから上部が身頃部２のヒップ周りの大きさ以上に伸長するようになっている。
【００５１】
このため、本実施の形態１においては、ウエストベルト部３周辺に浮きが生じるのが確実に防止される。したがって、本実施の形態１のウエスト周り伸縮自在ボトムス１によれば、ウエストベルト部３周辺に皺、撚れ、突っ張り皺が生ずるのが確実に防止される。また、浮きを処理するための縦ダーツを身頃部２の上端に設ける必要がなくなる。
更に、伸縮性ベルト芯５は、上述の如く、通常の平ゴム等の腰ゴムと比較して厚みが薄いため、本実施の形態１のウエスト周り伸縮自在ボトムス１は、身頃部２とウエストベルト部３との段差が極めて小さく、ウエスト周りの見栄えがすっきりとしたものになっている。
加えて、本実施の形態１のウエスト周り伸縮自在ボトムス１は、上述の如く、ウエストベルト部３及びウエストベルト部３近傍の身頃部２が身頃部２のヒップ周りの大きさ以上に伸長するため、ウエストベルト部３及びウエストベルト部３近傍の身頃部２を引き伸ばして着用することができる。故に、着脱が極めて容易である。
【００５２】
このように、本実施の形態１のウエスト周り伸縮自在ボトムス１は、皺、撚れ、突っ張り皺等が生じたり、身頃部２とウエストベルト部３とで段差が生じたりするのが防止されるため、ウエスト周りの見栄えが非常にすっきりとしており、商品として陳列した場合や着用時において非常に見栄がよく、美観に優れている。更に、いかにもウエスト周りが楽なボトムスに見られるという事態を防止することができ、タウンウェアとしてのファッション性にも優れている。
また、皺、撚れ、突っ張り皺が生じたり、身頃部２とウエストベルト部３とで段差が生じたりするのが防止されているのに加え、浮きを処理するためのダーツを設ける必要もないため、ウエスト周りへのフィット性が一段と向上し、着用時のごろつき感も一段と軽減される。故に、本実施の形態１のウエスト周り伸縮自在ボトムス１によれば、優れた着用感が得られる。換言すれば、着用した際の快適性に優れている。
加えて、本実施の形態１のウエスト周り伸縮自在ボトムス１は、浮きを処理するための縦ダーツを設ける必要がないため、デザインの自由度が高い。
なお、本実施の形態１のウエスト周り伸縮自在ボトムス１は、上述の如く、ウエストベルト部３及びウエストベルト部３近傍の身頃部２を引き伸ばして着用することができるため、着脱のためのファスナー等を設けておらず、ファスナーによるごろつきを感じることはない。しかし、本発明を実施する場合には、ファスナー等を設けることも可能である。また、本実施の形態１においては、伸縮性ベルト芯５の伸縮性によって着用時の脱落が防止されるため、別体のベルトを通すためのベルト通しを設けていないが、本発明を実施する場合には、ウエストベルト部３にベルト通しを設けることも可能である。
【００５３】
更に、本実施の形態１の伸縮性ベルト芯５の上端は、前中心ＦＣ及び後中心ＢＣから両脇（左脇ＬＳ、右脇ＲＳ）に向かって上昇する曲線形状となっており、腹部の贅肉が重力によって下部に垂れ下がった場合においても、腹部の垂れ下がった形状にフィットして腹部の贅肉を支えることができるため、腹部が圧迫されず非常に快適に着用することができる。
【００５４】
なお、本実施の形態１においては、上述の如く、伸縮性ベルト芯５を構成する各生地の接着には、ポリウレタン素材の伸縮性のある接着剤が使用されており、また、身頃部２及びベルト布４及び伸縮性ベルト芯５の縫い合わせにもウーリー糸、レジロン（登録商標）等の伸縮性のある糸が使用されているため、伸縮性ベルト芯５のスムーズな伸縮が妨げられる恐れはない。
また、本実施の形態１のウエスト周り伸縮自在ボトムス１によれば、伸縮性ベルト芯５が身頃部２及びベルト布４に縫付けられているため、伸縮性ベルト芯５がベルト布４の内部で捩れたりする事態が防止される。
更に、従来の平ゴム等の腰ゴムは、一般的に、長さ方向に伸縮性を有するのに対し、その長さ方向に直角な幅方向には伸縮性を有さないため、着用して体を曲げたり捩ったりした場合に、幅方向に折れ曲がって着用感を損ね運動等の妨げになることがあったが、伸縮性ベルト芯５のパワーネット生地５ａ及びポリウレタンラミネート生地５ｂは、どの角度においても伸縮性を有するため、着用して体を曲げたり捩ったりした際にも折れ曲がって着用感を損ねたりすることがなく、常にウエスト周りにフィットさせることできる。
加えて、上述の如く、本実施の形態１の伸縮性ベルト芯５は、伸長率が３０％前後で、弾力性を有し、伸長した後のキックバック性（弾性回復性）にも優れているため、ウエスト周りに常にフィットしている感覚や適度な締め付け感を与えることができ、運動時などの緊張時にもボトム脱落の不安感を与える恐れはない。
故に、本実施の形態１のウエスト周り伸縮自在ボトムス１は、着用して運動するのにも最適である。
【００５５】
なお、本実施の形態１の伸縮性ベルト芯５は、裁断によって任意のカーブ形状を形成するため、カーブ形状を形成するのが比較的容易である。更に、上述の如く、パワーネット生地５ａ及びポリウレタンラミネート生地５ｂはどの角度においても伸縮性を有するため、裁断時に方向性を考慮する必要もない。よって、本実施の形態１のウエスト周り伸縮自在ボトムス１は、その作業性にも優れている。
また、本実施の形態１のウエスト周り伸縮自在ボトムス１によれば、伸縮性ベルト芯５の伸縮性が大きいため、通常、６９ｃｍ、７２ｃｍ、７５ｃｍといったように３ｃｍ間隔で設定されるウエストベルト部３のサイズを、例えば、６〜８ｃｍ間隔で設定することが可能になり、効率のよい生産が期待される。
【００５６】
ところで、従来の平ゴム等の腰ゴムは、平ゴム等の上端及び下端が直線的な形状であるため、前ウエストベルト部３Ａの上端と後ウエストベルト３Ｂの上端の差ｎ（図１（ａ））を大きくするのに限界があったが（平均３〜４ｃｍ位）、本実施の形態１に係る伸縮性ベルト芯５は、上端及び下端が前中心方向及び後中心方向から両脇方向に向かって上昇する曲線形状となるように任意の形状に裁断してなるものであるから、前ウエストベルト部３Ａの上端と後ウエストベルト３Ｂ上端の差ｎを大きく設定することが可能（例えば、４．５〜５．５ｃｍ）となる。従って、本実施の形態１のウエスト周り伸縮自在ボトムス１によれば、着用してしゃがみ込んだり座ったりした際に、後ウエストベルト部３Ｂとトップスの間が開いて背中が露出してしまうという事態が防止されることを期待でき、若い人を中心に流行している股上が浅いデザインのローウエストタイプのデザインにも対応可能となる。
更に、従来の平ゴム等の腰ゴムは、裁断によって解れが生じるためバイアスカットが困難であり、また、上端及び下端が直線的な形状のゴムを両端で重ねて縫い合わせると重ね合わせた部分で厚みがでるため、ウエストベルト部３の上端と下端の周長の差を大きくするのに限界があったが（約５ｃｍ位）、本実施の形態１の伸縮性ベルト芯５によれば、ウエストベルト部３の上端と下端の周長の差を大きく設定することが可能となる（例えば８〜１０ｃｍ）。したがって、本実施の形態１のウエスト周り伸縮自在ボトムス１によれば、よりウエストラインに沿った美しいシルエットが形成されることを期待できる。
【００５７】
［実施の形態２］
次に、本発明の実施の形態２に係るウエスト周り伸縮自在衣料としてのウエスト周り伸縮自在ボトムス１１について、図４を参照して説明する。なお、本発明の実施の形態２において、実施の形態１との相違点は、上端が後中心ＢＣ方向から両脇（左脇ＬＳ、右脇ＲＳ）に向かって上昇する曲線形状を有する後ウエストベルト部３Ｂに腰ゴム１２が設けられている点と、前明きの構造になっている点にある。その他の構成は、実施の形態１と同じであるから、その説明を省略する。
【００５８】
図４に示すように、本実施の形態２のウエスト周り伸縮自在ボトムス１１は、上端が後中心ＢＣ方向から両脇（左脇線ＬＳ、右脇線ＲＳ）に向かって上昇する曲線形状を有する後ウエストベルト部３Ｂの後中心ＢＣ付近に、平らな腰ゴム１２が設けられている。
具体的には、本実施の形態２においては、図４（ｂ）に示すように、この腰ゴム１２は、後ウエストベルト部３Ｂの長さ（ウエスト周り方向の長さ）の約半分の長さ（約１３〜１５ｃｍ）となっていて、その下端にて後身頃部２Ａの上端の後中心（ＢＣ）付近に縫着されており、また、その両端にて、後伸縮性ベルト芯５Ｂが内装される後ベルト布４Ｂに縫着されている。そして、本実施の形態２においても、伸縮性ベルト芯５及び腰ゴム１２のスムーズな伸縮が妨げられないように、腰ゴム１２の縫い合わせにはウーリー糸、レジロン糸（登録商標）等の伸縮性を有する糸が使用されている。
なお、本実施の形態２においては、腰ゴム１２がベルト布４によって被覆されていないが、本発明を実施する場合には、勿論、腰ゴム１２をベルト布４の内部に設けることも可能である。
【００５９】
また、本実施の形態２のウエスト周り伸縮自在ボトムス１１は、前明きの構成となっており、前身頃部２Ａの前中心ＦＣ付近にはファスナー１３が設けられ、前ベルト部３Ａには、図示しない鍵構成体と受構成体からなる掛止金具が設けられている。なお、前ウエストベルト部３Ａの鍵構成体を有する方を補強して捩じれを防止するため、前ウエストベルト部３Ａの前明き部分には、図示しない芯材が内装されている。
【００６０】
このように、本実施の形態２のウエスト周り伸縮自在ボトムス１１は、上端が後中心ＢＣ方向から両脇（左脇線ＬＳ、右脇線ＲＳ）に向かって上昇する曲線形状を有する後ウエストベルト部３Ｂの後中心ＢＣ付近に、平らな腰ゴム１２が設けられおり、後ウエストベルト部３Ｂの後中心ＢＣ付近の上端は、略直線形状となっている。なお、本実施の形態２の後身頃部２Ｂの上端も、後中心ＢＣ方向から両脇（左脇線ＬＳ、右脇線ＲＳ）に向かって上昇する曲線形状となっており、後身頃部２Ｂの上端の後中心ＢＣ付近は、略直線形状となっている。
このため、本実施の形態２のウエスト周り伸縮自在ボトムス１１によれば、前ウエストベルト部３Ａの上端と後ウエストベルト部３Ｂの上端との差ｎ'を、上記実施の形態１の差ｎ（図１（ａ））より大きくすることが可能である。
したがって、本実施の形態２のウエスト周り伸縮自在ボトムス１１によれば、着用してしゃがみ込んだり座ったりした際にトップスとの間が大きく開いて背中が露出してしまうという事態が防止されることを更に期待でき、若い人を中心に流行している股上が浅いデザインのローウエストタイプのデザインにも十分対応可能となる。
【００６１】
また、本実施の形態２の腰ゴム１２は、大きな伸縮性及び弾力性を有するため、本実施の形態２のウエスト周り伸縮自在ボトムス１１によれば、上記実施の形態１のウエスト周り伸縮自在ボトムス１よりもウエスト周りに更にフィットさせることができ、着用者がしゃがみ込んだり腰掛けたりする場合に、後ウエストベルト部３Ｂと体との間に隙間があくのを防止することができる。
なお、本発明を実施する場合には、ウエストベルト部３周辺に浮きが出ない程度、具体的には、前ウエストベルト部３Ａの約半分以下の長さ及び／または後ウエストベルト部３Ｂの約半分以下の長さくらいであれば、腰ゴム１２が設けられる位置は、後ウエストベルト部３Ｂの後中心ＢＣ付近に限られるものではなく、ウエストベルト部３の両脇（左脇ＬＳ、右脇ＲＳ）に設けることも可能である。また、本発明を実施する場合には、ファスナー等による前明き構造を設けなくても構わない。
【００６２】
このように本実施の形態１に係るウエスト周り伸縮自在衣料としてのウエスト周り伸縮自在ボトムス１及び本実施の形態２に係るウエスト周り伸縮自在衣料としてのウエスト周り伸縮自在ボトムス１１は、上端が前中心ＦＣ方向及び後中心ＢＣ方向から両脇（左脇ＬＳ、右脇ＲＳ）方向に向かって上昇する曲線形状を有し、少なくとも上端からウエスト周りまでが伸縮性を有する生地としての伸縮性ポリエステル生地からなる身頃部２と、上端が前中心ＦＣ方向及び後中心ＢＣ方向から両脇（左脇ＬＳ、右脇ＲＳ）方向に向かって上昇する曲線形状を有し、伸縮性を有する生地としての伸縮性ポリエステル生地からなるベルト布４を縫い合わせて身頃部２の上端に縫着した伸縮自在なウエストベルト部３と、ウエストベルト部３に設けられ、複数の伸縮性を有する生地としてのパワーネット生地５ａとポリウレタンラミネート生地５ｂを重ね合わせて接着し、かつ、上端及び下端が前中心ＦＣ方向及び後中心ＢＣ方向から両脇（左脇ＬＳ、右脇ＲＳ）方向に向かって上昇する曲線形状となるように任意の形状に裁断してなる伸縮性ベルト芯５とを具備し、伸縮性ベルト芯５が収縮した状態における伸縮性ベルト芯５の下端の曲線形状と身頃部２の上端が収縮した状態における身頃部２の上端の曲線形状とが一致しているものである。
更には、伸縮性ベルト芯５が収縮した状態における伸縮性ベルト芯５の上端の曲線形状とウエストベルト部３が収縮した状態におけるウエストベルト部３の上端の曲線形状とが一致しているものである。
【００６３】
したがって、本実施の形態１に係るウエスト周り伸縮自在衣料としてのウエスト周り伸縮自在ボトムス１及び本実施の形態２に係るウエスト周り伸縮自在衣料としてのウエスト周り伸縮自在ボトムス１１によれば、身頃部２とウエストベルト部３とを縫い合わせた際、ウエストベルト部３周辺に浮きが生じるのを確実に防止することができる。
そして、ウエストベルト部３周辺に浮きが生じるのが確実に防止されることによって、ウエストベルト部３周辺に皺、撚れ、突っ張り皺等が生じるのも確実に防止されるため、見栄えを向上させることができ、また、浮きを処理するためのダーツを設ける必要もないため、多様なデザインのニーズにも対応できるようになる。
更に、本実施の形態１に係るウエスト周り伸縮自在衣料としてのウエスト周り伸縮自在ボトムス１及び本実施の形態２に係るウエスト周り伸縮自在衣料としてのウエスト周り伸縮自在ボトムス１１によれば、皺、撚れ、突っ張り皺、ダーツ等によるごろつき感が軽減され、ウエスト周りに一段とフィットするため、着用感を向上させることができる。
【００６４】
また、従来の平ゴム等の腰ゴムでは、平ゴム等の上端及び下端が直線的な形状であるため、前ウエストベルト部３Ａの上端と後ウエストベルト上端３Ｂの差ｎ、ｎ'を大きくするのに限界があったが、本実施の形態１及び本実施の形態２の伸縮性ベルト芯５は、上端及び下端が前中心ＦＣ方向及び後中心ＢＣ方向から両脇（左脇ＬＳ、右脇ＲＳ）方向に向かって上昇する曲線形状となるように任意の形状に裁断してなるものであるから、前ウエストベルト部３Ａの上端と後ウエストベルト３Ｂの上端との差ｎ、ｎ'を大きく設定することが可能となる。したがって、本実施の形態１に係るウエスト周り伸縮自在ボトムスとしてのウエスト周り伸縮自在ボトムス１及び本実施の形態２に係るウエスト周り伸縮自在ボトムスとしてのウエスト周り伸縮自在ボトムス１１によれば、着用してしゃがみ込んだり座ったりした際に、背中が露出してしまう事態が防止されることを期待でき、股上の浅いローウエストのデザインに十分対応可能となる。
更に、従来の平ゴム等の腰ゴムは、裁断によって解れが生じるためバイアスカットが困難であり、また、上端及び下端が直線的な形状のゴムを両端で重ねて縫い合わせると重ね合わせた部分で厚みがでるため、ウエストベルト部３の上端と下端の周長の差を大きくするのに限界があったが、本実施の形態１及び本実施の形態２の伸縮性ベルト芯５によれば、ウエストベルト部３の上端と下端の周長の差を大きく設定することが可能となる。したがって、本実施の形態１に係るウエスト周り伸縮自在ボトムスとしてのウエスト周り伸縮自在ボトムス１及び本実施の形態２に係るウエスト周り伸縮自在ボトムスとしてのウエスト周り伸縮自在ボトムス１１によれば、よりウエストラインに沿ったシルエットが形成されることを期待できる。
【００６５】
このようにして、ウエストベルト部３周辺に皺、撚れ、突っ張り皺等が生じるのを防止すると共に、浮きを処理するためのダーツをなくして、見栄えを向上させることができ、かつ、多様なデザインのニーズに対応できるウエスト周り伸縮自在衣料となる。
【００６６】
また、本実施の形態１及び本実施の形態２の伸縮性ベルト芯５は、ベルト布４の内部に設けられ、ベルト布４の上端の周上付近及び下端の周上付近にウーリー糸、レジロン糸（登録商標）等の伸縮性を有する糸によって縫付けられているため、本実施の形態１に係るウエスト周り伸縮自在衣料としてのウエスト周り伸縮自在ボトムス１及び本実施の形態２に係るウエスト周り伸縮自在衣料としてのウエスト周り伸縮自在ボトムス１１によれば、伸縮性ベルト芯５がベルト布４の内部で捩じれたりする事態を防止することができる。更には、伸縮性ベルト芯５の捩じれによって着用感が損なわれたりする事態を防止することもできる。また、伸縮性ベルト芯５を縫付ける糸は伸縮性を有するため、伸縮性ベルト芯５のスムーズな伸縮が妨げられることもない。
【００６７】
更に、本実施の形態１に係るウエスト周り伸縮自在衣料としてのウエスト周り伸縮自在ボトムス１及び本実施の形態２に係るウエスト周り伸縮自在衣料としてのウエスト周り伸縮自在ボトムス１１によれば、パワーネット生地５ａとポリウレタンラミネート生地５ｂの接着には、伸縮性のあるポリウレタン樹脂が使用されているため、伸縮性ベルト芯５のスムーズな伸縮が妨げられることはない。また、伸長時にパワーネット生地５ａとポリウレタンラミネート生地５ｂとが剥離する事態を防止することができる。
【００６８】
また、上述の如く、本実施の形態１及び本実施の形態２の伸縮性ベルト芯５は、伸縮性が大きいパワーネット生地５ａと、パワーネット生地５ａよりも伸縮性が小さいポリウレタンラミネート生地５ｂとからなるものであるため、ポリウレタンラミネート生地５ｂによって着脱時等におけるパワーネット生地５の過度の伸長が抑制される。
したがって、本実施の形態１に係るウエスト周り伸縮自在衣料としてのウエスト周り伸縮自在ボトムス１及び本実施の形態２に係るウエスト周り伸縮自在衣料としてのウエスト周り伸縮自在ボトムス１１によれば、伸縮性ベルト芯５の過度の伸長によってベルト布４に無理が掛かるのを防止することが可能になるため、ベルト布４を長持ちさせることができる。
【００６９】
また、本実施の形態１に係るウエスト周り伸縮自在衣料としてのウエスト周り伸縮自在ボトムス１及び本実施の形態２に係るウエスト周り伸縮自在衣料としてのウエスト周り伸縮自在ボトムス１１によれば、伸長時においても機械的強度が大きいポリウレタンラミネート生地５ｂによってパワーネット生地５ａの過度な伸長を抑制するため、伸縮性ベルト芯５を長持ちさせることができる。
更に、パワーネット生地５ａ及びポリウレタンラミネート生地５ｂからなる伸縮性ベルト芯５は、平ゴム等の腰ゴムと比較して、厚みが薄いため、本実施の形態１に係るウエスト周り伸縮自在衣料としてのウエスト周り伸縮自在ボトムス１及び本実施の形態２に係るウエスト周り伸縮自在衣料としてのウエスト周り伸縮自在ボトムス１１によれば、ウエストベルト部３と身頃部２との段差を小さくしてごろつき感を軽減することができ、着用感を更に向上させることが可能になる。更には、ウエスト周りの見栄えを非常にすっきりとしたものにすることができる。
【００７０】
加えて、パワーネット生地５ａ及びポリウレタンラミネート生地５ｂからなる伸縮性ベルト芯５は、弾力性を有するため、本実施の形態１に係るウエスト周り伸縮自在衣料としてのウエスト周り伸縮自在ボトムス１及び本実施の形態２に係るウエスト周り伸縮自在衣料としてのウエスト周り伸縮自在ボトムス１１によれば、ウエスト周りへフィットとしている感覚や、締め付け感を与えることができる。
【００７１】
また、本実施の形態１に係るウエスト周り伸縮自在衣料としてのウエスト周り伸縮自在ボトムス１及び本実施の形態２に係るウエスト周り伸縮自在衣料としてのウエスト周り伸縮自在ボトムス１１は、身頃部２のヒップ周りから上部及びウエストベルト部３が、身頃部２のヒップ周りの大きさ以上に伸長するため、ウエストベルト部３及びウエストベルト部３の近傍の身頃部２を引き伸ばして着用することができる。即ち、極めて容易に着脱ができる。
【００７２】
そして、本実施の形態２に係るウエスト周り伸縮自在衣料としてのウエスト周り伸縮自在ボトムス１１は、後ウエストベルト部３Ｂに腰ゴム１２を設けたものであり、平ゴム等の腰ゴム１２は伸縮性及び弾力性が大きいため、ウエスト周りへのフィット性や、フィット感を更に向上させることが可能になる。
【００７３】
なお、上記各実施の形態においては、ウエスト周り伸縮自在衣料としてウエスト周り伸縮自在ボトムス１、１１について説明したが、ウエスト周り伸縮自在衣料としてはこれに限られるものではなく、例えば、ウエスト周りを締め付ける構造を有するワンピース等の衣服にも適用することができる。
【符号の説明】
【００７４】
１、１１  ウエスト周り伸縮自在ボトムス（ウエスト周り伸縮自在衣服）
２    身頃部
３    ウエストベルト部
４    ベルト布
５    伸縮性ベルト芯
５ａ  パワーネット生地
５ｂ  ポリウレタンラミネート生地
１２  腰ゴム
【図１】
2011080173.tif 000003
【図２】
2011080173.tif 000004
【図３】
2011080173.tif 000005
【図４】
2011080173.tif 000006